(57)【特許請求の範囲】
【請求項１】
画像形成装置の胴体内部又は画像形成装置の上部に設けられた記録媒体積載部に、画像が形成された記録媒体を記録媒体排出部から排出して積載するように構成した画像形成装置において、
前記記録媒体排出部から前記記録媒体積載部上に排出される記録媒体から放出される空気を吸引し、当該吸引された空気をフィルターを通して排気する吸引排気手段を、前記記録媒体排出部における記録媒体の排出方向と直交する方向でかつ記録媒体表面に平行な方向で前記記録媒体積載部上に堆積された記録媒体よりも外側に設け、
前記吸引排気手段は、前記記録媒体積載部上に排出された記録媒体に対して、空気を吸引する吸気口、フィルター、空気を排気する排気口の順に配置され、
前記記録媒体排出部における記録媒体の排出方向と直交する方向でかつ前記記録媒体表面に平行な方向で見たときに、前記吸気口と前記フィルターと前記排気口とは重なっている部分を有するように配置されたことを特徴とする画像形成装置。
【請求項２】
前記記録媒体積載部は、画像形成装置の操作部側以外の面のうち、少なくとも一方の面を閉塞するカバー部材を設けたことを特徴とする請求項１に記載の画像形成装置。
【請求項３】
前記吸引排気手段は、前記記録媒体積載部の記録媒体排出方向と直交する方向でかつ記録媒体表面に平行な方向の一方に設けられ、前記吸引排気手段と反対側には、空気が排出されるのを遮蔽する遮蔽部材を設けたことを特徴とする請求項１に記載の画像形成装置。
【請求項４】
前記記録媒体積載部には、当該記録媒体積載部の上部に記録媒体を排出する追加用の積載部が追加可能となっており、前記吸引排気手段は、記録媒体積載部と、追加用積載部の双方から空気を吸引して排気することを特徴とする請求項１に記載の画像形成装置。
【請求項５】
前記吸引排気手段を画像形成動作が終了した後も一定時間だけ駆動するように構成したことを特徴とする請求項１に記載の画像形成装置。
【請求項６】
前記画像形成装置の上部に記録媒体積載部が設けられている場合は、当該記録媒体積載部の少なくとも一方の面を閉塞するカバー部材を設けたことを特徴とする請求項１に記載の画像形成装置。
【請求項７】
前記画像形成装置の上部に記録媒体積載部が設けられている装置であって、前記吸引排気手段を前記記録媒体積載部の記録媒体排出方向と直交する方向でかつ記録媒体表面に平行な方向の両側から吸引するように設けたことを特徴とする請求項１に記載の画像形成装置。
【発明の詳細な説明】
【技術分野】
【０００１】
この発明は、電子写真方式を採用した複写機やプリンタ、あるいはファクシミリ、更にはこれらの機能を兼ね備えた複合機等の画像形成装置に関し、特に、用紙等の記録媒体を排出する排出部から装置の外部に排気される異臭やＶＯＣを低減することが可能な画像形成装置に関するものである。
【背景技術】
【０００２】
【特許文献１】特開２００４−２４０２７０号公報
【特許文献２】特開２００５−１２６１９１号公報
【０００３】
従来、この種の電子写真方式を採用した複写機やプリンタ、あるいはファクシミリ、更にはこれらの機能を兼ね備えた複合機等の画像形成装置では、感光体ドラム上に画像情報に応じた静電潜像を形成し、当該感光体ドラム上に形成された静電潜像をトナーによって顕像化することによりトナー像とし、このトナー像を用紙上に転写した後、定着装置によって熱及び圧力で未定着トナー像を用紙上に定着することにより、画像を形成するように構成されている。
【０００４】
ところで、最近、上記画像形成装置では、環境に対するＢＡＭ( Ｂｌｕｅ  Ａｎｇｅｌ  Ｍａｒｋ）等の規制が厳しくなってきており、トナーを定着装置により加熱溶融し、用紙上に定着する際に発生する物質によって異臭が放出され、当該異臭が機外に排出されて、ユーザーに不快感を与えることを抑えることが求められてきている。
【０００５】
また、上記画像形成装置では、トナーを定着装置により加熱溶融して、用紙上に定着する際に、揮発性の有機化合物であるＶＯＣ（Volitile  Organic   Compound）が発生し、装置が設置されている環境に対して悪影響を与えることをも抑えることが求められてきている。
【０００６】
そこで、かかる要求に応える技術としては、例えば、特開２００４−２４０２７０号公報等に開示されているものが既に提案されている。
【０００７】
この特開２００４−２４０２７０号公報に係る画像形成装置は、装置内で発生する揮発性有機化合物を含む空気を、ガス除去手段を介して装置外部に排出する構成の画像形成装置において、前記ガス除去手段は、排気ファンと、当該排気ファンの下流位置に近接して設けた、粉末活性炭入り、かつ、複数の管状排風路を有する構造のフィルタとを含むように構成したものである。
【０００８】
しかしながら、上記特開２００４−２４０２７０号公報に係る画像形成装置の場合には、装置内で発生する揮発性有機化合物を含む空気を、ガス除去手段によって一部を除去することが可能であるものの、臭気は用紙と共に装置の外部に排出されてしまうため、異臭が用紙によって装置外に排出されるのを、効果的に防止することができないという問題点を有していた。
【０００９】
また、上記特開２００４−２４０２７０号公報に係る画像形成装置の場合には、用紙上に定着された直後のトナーや稀れに付着するキャリアから発生する臭気や揮発性有機化合物を除去することができず、装置の外部に排出された用紙から臭気や揮発性有機化合物が放出されるのを回避することができないという問題点を有していた。
【００１０】
そこで、かかる問題点を解決し得る技術としては、特開２００５−１２６１９１号公報等に開示されたものが既に提案されている。
【００１１】
この特開２００５−１２６１９１号公報に係る画像形成装置は、シートに画像を形成する画像形成装置において、排出部に排出されたシート近傍領域のエアーを装置本体内に吸引する吸気手段を有するように構成したものであり、前記吸気手段としては、例えば、所定の化学物質を分解し得るフィルタを介してエアーを装置本体内に吸引するように構成したものが用いられる。
【発明の開示】
【発明が解決しようとする課題】
【００１２】
しかしながら、上記従来技術の場合には、次のような問題点を有している。すなわち、上記特開２００５−１２６１９１号公報に係る画像形成装置の場合には、シートに画像を形成する画像形成装置において、排出部に排出されたシート近傍領域のエアーを装置本体内に吸引する吸気手段を有するように構成したものであり、吸気手段が排出部の上方に配置されているため、排紙された用紙が排出トレイ上に落下する際に、排出部周辺のエアーを、排紙方向と直交する方向の手前側や排紙方向の下流側に押し出してしまい、シートから放出される臭気を効果的に吸引することができないという問題点を有していた。
【００１３】
また、上記特開２００５−１２６１９１号公報に係る画像形成装置において、排出トレイ上に落下するシートから放出される臭気を、排出部の上方に配置された吸気手段によって吸気するためには、排気手段のファンを大型化したり、回転数のアップ、ダクトの配置等が必要となり、コストアップ、騒音アップ、消費電力のアップ等を招くばかりか、又、装置内にスペースを確保すると、装置本体の大型化を招くという問題点を有していた。
【００１４】
さらに、上記特開２００５−１２６１９１号公報に係る画像形成装置の場合には、排出部に排出されたシート近傍領域のエアーを装置本体内に吸引するように構成したものであるが、その後、装置本体内部のエアーとともに排出する必要があり、フィルタを介在するにしても少なくとも臭気を含むエアーを装置本体の内部に飛散させてしまい、装置本体のカバーのあらゆる隙間から外部に排出してしまうという問題点を有していた。
【００１５】
そこで、この発明は、上記従来技術の問題点を解決するためになされたものであり、その目的とするところは、コストアップや騒音アップ、消費電力のアップ、もしくは装置の大型化等を招くことなく、装置の排出部近傍から排紙方向と直交する方向に放出される臭気や揮発性有機化合物等を、効果的に除去することが可能な画像形成装置を提供することにある。
【課題を解決するための手段】
【００１６】
上記の課題を解決するために、請求項１に記載された発明は、画像形成装置の胴体内部又は画像形成装置の上部に設けられた記録媒体積載部に、画像が形成された記録媒体を記録媒体排出部から排出して積載するように構成した画像形成装置において、
前記記録媒体排出部から前記記録媒体積載部上に排出される記録媒体から放出される空気を吸引し、当該吸引された空気をフィルターを通して排気する吸引排気手段を、前記記録媒体排出部における記録媒体の排出方向と直交する方向でかつ記録媒体表面に平行な方向で前記記録媒体積載部上に堆積された記録媒体よりも外側に設け、
前記吸引排気手段は、前記記録媒体積載部上に排出された記録媒体に対して、空気を吸引する吸気口、フィルター、空気を排気する排気口の順に配置され、
前記記録媒体排出部における記録媒体の排出方向と直交する方向でかつ前記記録媒体表面に平行な方向で見たときに、前記吸気口と前記フィルターと前記排気口とは重なっている部分を有するように配置されたことを特徴とする画像形成装置である。
【００１７】
また、請求項２に記載された発明は、前記記録媒体積載部は、画像形成装置の操作部側以外の面のうち、少なくとも一方の面を閉塞するカバー部材を設けたことを特徴とする請求項１に記載の画像形成装置である。
【００１８】
さらに、請求項３に記載された発明は、前記吸引排気手段は、前記記録媒体積載部の記録媒体排出方向と直交する方向でかつ記録媒体表面に平行な方向の一方に設けられ、前記吸引排気手段と反対側には、空気が排出されるのを遮蔽する遮蔽部材を設けたことを特徴とする請求項１に記載の画像形成装置である。
【００１９】
又、請求項４に記載された発明は、前記記録媒体積載部には、当該記録媒体積載部の上部に記録媒体を排出する追加用の積載部が追加可能となっており、前記吸引排気手段は、記録媒体積載部と、追加用積載部の双方から空気を吸引して排気することを特徴とする請求項１に記載の画像形成装置である。
【００２０】
更に、請求項５に記載された発明は、前記吸引排気手段を画像形成動作が終了した後も一定時間だけ駆動するように構成したことを特徴とする請求項１に記載の画像形成装置である。
【００２１】
また、請求項６に記載された発明は、前記画像形成装置の上部に記録媒体積載部が設けられている場合は、当該記録媒体積載部の少なくとも一方の面を閉塞するカバー部材を設けたことを特徴とする請求項１に記載の画像形成装置である。
【００２２】
さらに、請求項７に記載された発明は、前記画像形成装置の上部に記録媒体積載部が設けられている装置であって、前記吸引排気手段を前記記録媒体積載部の記録媒体排出方向と直交する方向でかつ記録媒体表面に平行な方向の両側から吸引するように設けたことを特徴とする請求項１に記載の画像形成装置である。
【発明の効果】
【００２４】
この発明によれば、コストアップや騒音アップ、消費電力のアップ、もしくは装置の大型化等を招くことなく、装置の排出部近傍から排紙方向と直交する方向に放出される臭気や揮発性有機化合物等を、効果的に除去することが可能な画像形成装置を提供することができる。
【発明を実施するための最良の形態】
【００２５】
以下に、この発明の実施の形態について図面を参照して説明する。
【００２６】
実施の形態１
図２はこの発明の実施の形態１に係る画像形成装置としてのモノクロ複合機を示す構成図である。なお、このモノクロ複合機は、複写機やプリンタ、あるいはファクシミリとしての機能を兼ね備えている。
【００２７】
このモノクロ複合機は、図２に示すように、その上部に画像読取装置としてのスキャナユニット３を備えているとともに、図示しないネットワークを介して図示しないパーソナルコンピュータ等と接続されている。
【００２８】
そして、上記モノクロ複合機は、スキャナユニット３で読み取った文書の画像を複写したり、パーソナルコンピュータ等から送られてきた画像データに基づいてプリントしたり、電話回線を介して画像データを送受信するファックスとして機能するようになっている。
【００２９】
図２において、１はモノクロ複合機の本体を示すものであり、このモノクロ複合機本体１の上部には、図示しない原稿を一枚ずつ分離した状態で自動的に搬送する自動原稿搬送装置（ＡＤＦ）２と、当該自動原稿搬送装置２によって搬送される原稿の画像を読み取るスキャナユニット３が配設されている。上記スキャナユニット３は、プラテンガラス４上に載置された原稿を光源５によって照明し、原稿からの反射光像を、フルレートミラー６及びハーフレートミラー７、８及び結像レンズ９からなる縮小光学系１１を介してＣＣＤ等からなる画像読取素子１０上に走査露光して、この画像読取素子１０によって原稿の色材反射光像を所定のドット密度（例えば、１６ドット／ｍｍ）で読み取るようになっている。
【００３０】
上記スキャナユニット３によって読み取られた原稿の反射光像は、例えば、赤（Ｒ）、緑（Ｇ）、青（Ｂ）（各８ｂｉｔ）の３色の反射率データとして画像処理装置（ＩＰＳ）１２に送られ、この画像処理装置１２では、原稿の画像データに対して、必要に応じて、シェーデイング補正、位置ズレ補正、明度／色空間変換、ガンマ補正、枠消し、色／移動編集等の処理を含め、後述するように所定の画像処理が施される。また、この画像処理装置１２は、図示しないパーソナルコンピュータ等から送られてくる画像データに対しても、所定の画像処理を行なうようになっている。
【００３１】
上記モノクロ複合機本体１の内部には、電子写真方式を採用して用紙上に画像を形成するための画像形成部の主要部として、感光体ドラム等の画像形成部材を一体的にユニット化したプロセスカートリッジ１３が配設されている。このプロセスカートリッジ１３は、モノクロ複合機本体１に対して着脱自在に構成されており、当該プロセスカートリッジ１３に備えられた感光体ドラムが寿命に達したり、現像装置内のトナーが空になった場合などには、モノクロ複合機本体１の上部等に設けられた図示しないカバーを開けて、新たなカートリッジ１３と交換可能となっている。
【００３２】
上記プロセスカートリッジ１３は、図２に示すように、像担持体としての感光体ドラム１４と、帯電手段としての帯電ローラ１５と、現像手段としての現像装置１６と、クリーニング装置１７とを備えるように構成されている。
【００３３】
上記感光体ドラム１４としては、例えば、有機光導電体（ＯＰＣ）を被覆した導電性円筒からなるものが用いられ、この感光体ドラム１４は、図示しない駆動手段により矢印方向に沿って、所定の回転速度で駆動されるようになっている。上記感光体ドラム３の表面は、帯電手段としての帯電ローラ１５によって所定の電位に一様に帯電された後、露光手段としてのレーザー書き込み装置１８によって画像露光が施され、画像情報に応じた静電潜像が形成される。このレーザー書き込み装置１８は、画像処理装置１２で所定の画像処理が施された画像データに基づいて半導体レーザー１９を変調し、当該半導体レーザー１９から出射されるレーザービームＬＢを、コリメータレンズ２０、反射ミラー２１、ポリゴンミラー２２及びｆ−θレンズ２３等からなる結像光学系を介して、感光体ドラム１４上に走査露光することにより、当該感光体ドラム１４の表面に静電潜像を形成するように構成されている。そして、上記感光体ドラム１４上に形成された静電潜像は、一成分現像剤（トナー）を収容した現像装置１６の現像ロール２４によって現像され、トナー像となる。なお、現像装置５としては、二成分現像剤を使用したものであっても勿論よい。
【００３４】
上記感光体ドラム１４上に形成されたトナー像は、図２に示すように、転写手段としての転写ロール２５によって、記録媒体としての記録用紙２６上に転写される。この記録用紙２６は、フィードロール２７によって複数の給紙カセットのうち、いずれかのトレイ２８から給紙され、分離ロール２９とリタードロール３０によって１枚ずつ分離された状態で、搬送ロール３１を備えた用紙搬送経路３２を介してレジストロール３３まで搬送され、一旦停止される。そして、上記記録用紙２６は、レジストロール２３によって感光体ドラム１４上に形成されたトナー像と同期をとった状態で、感光体ドラム１４の表面へと搬送され、当該記録用紙２６上には、感光体ドラム１４から転写ローラ２５によってトナー転写される。
【００３５】
なお、図２の例では、モノクロ複合機本体１の下部に給紙カセットのトレイ２８が、２段配設されている状態を示している。
【００３６】
このトナー像が転写された記録用紙２６は、感光体ドラム１４から分離された後、搬送ガイド３４を介して定着器３５へ搬送され、当該定着器３５の加熱ロール３６と加圧ロール３７によって、熱及び圧力で定着された後、上述した用紙ガイド３４及び搬送シュート３８によって形成された用紙搬送経路３９に沿って案内され、略９０度搬送方向が変更されて、用紙排出部４０の近傍に配設された排紙ローラ４１によって、機外の記録媒体積載部としての排紙トレイ４２上へと排出されて、一連の画像形成工程が終了する。
【００３７】
上記モノクロ複合機は、当該モノクロ複合機本体１の上部にスキャナユニット３を備えており、このモノクロ複合機は、記録媒体積載部としての排紙トレイ４２が、モノクロ複合機本体１とスキャナユニット３とで構成されるモノクロ複合機の胴体の内部に設けられている。
【００３８】
なお、トナー像の転写工程が終了した後の感光体ドラム１４の表面は、クリーニング装置１７によって残留トナー等が除去され、次の画像形成工程に備える。
【００３９】
ところで、この実施の形態では、画像形成装置の胴体内部又は画像形成装置の上部に設けられた記録媒体積載部に、画像が形成された記録媒体を記録媒体排出部から排出して積載するように構成した画像形成装置において、前記記録媒体排出部から前記記録媒体積載部上に排出される記録媒体から放出される空気を吸引し、当該吸引された空気をフィルターを通して排気する吸引排気手段を、前記記録媒体積載部の記録媒体排出方向と直交する方向でかつ記録媒体表面に平行な方向に設けるように構成されている。
【００４０】
すなわち、上記モノクロ複合機は、図１乃至図３に示すように、記録媒体積載部としての排紙トレイ４２の用紙排出方向と直交する方向でかつ用紙表面に平行な方向のリア（奥）側に、用紙排出部４０及び排紙トレイ４２の双方から排出される空気を吸引し、当該吸引された空気をフィルターを通して排気する吸引排気手段６０を備えている。この吸引排気手段６０は、例えば、排紙トレイ４２の用紙排出部４０近傍であって、排紙ローラ４１を備えた用紙排出部４０の上方に配設されている。なお、上記吸引排気手段６０は、例えば、排紙トレイ４２の用紙排出部４０近傍であって、当該用紙排出部４０の上方ではなく、用紙排出部４０のリア側に近接させて配設しても勿論良い。
【００４１】
上記モノクロ複合機は、図２及び図３に示すように、記録媒体積載部としての排紙トレイ４２の用紙排出方向と直交する方向のリア（奥）側に、スキャナユニット３を保持する箱体状の保持部５０が設けられており、当該保持部５０を介してスキャナユニット３とモノクロ複合機本体１とが互いに連結されている。この保持部５０は、スキャナユニット３の背面側と左側面側にわたって、略Ｌ字形状に形成されており、当該保持部５０のスキャナユニット３の左側面側に位置する部分５１は、モノクロ複合機本体１の排紙部５２と一体的に設けられている。上記保持部５０には、例えば、スキャナユニット３で読み取られた画像や、図示しないパーソナルコンピュータ等から送られてきた画像データに、所定の画像処理や、編集処理などを施したり、画像データを蓄積したりする画像処理機能を構成する部材などが収容されている。
【００４２】
上記吸引排気手段６０は、図２及び図３に示すように、保持部５０のフロント側の側面に開口され、ルーバー５５を備えた吸気口６２を備えており、この吸気口６２は、図１に示すように、保持部５０の背面側に向けて短い略四角柱状に形成されたダクト６１に連通されている。上記ダクト６１は、保持部５０の内部とは別に区画されており、吸気口６２から吸引された空気を、ダクト６１の反対側に開口された排気口を介して、装置の外部に排出するように構成されている。なお、上記ダクト６１は、モノクロ複合機本体１の内部と連通しておらず、吸気口６２のみから外部の空気を吸気して、ダクト６１の反対側に開口された排気口から排気するように構成されている。
【００４３】
上記ダクト６１等からなる吸引排気手段６０は、装置の構成上、スキャナユニット３とモノクロ複合機本体１とを連結する保持部５０内に配設されているが、当該吸引排気手段６０は、保持部５０などとは別体に独立して構成しても勿論良い。
【００４４】
上記ダクト６１の内部には、図１及び図４に示すように、排気ファン６５とフィルター６６が収容されているとともに、その奥方の端面６７は、全面が開口されている。また、上記排気部分６４の内部は、排気ファン６５の上流側が、フィルター６６を通過した空気を排気ファン６５に集めるように、仕切り壁６８によって狭く形成されており、当該排気ファン６５によって排気される空気は、若干広がった後、排気部分６４の手前側の端面６９に設けられたルーバー部７０から、外部に排出されるように構成されている。
【００４５】
また、上記フィルター６６としては、脱臭のためのフィルターと、揮発性有機化合物の吸着または分解のためのフィルターと、オゾンの吸着または分解能力のためのフィルターのうち、少なくとも２つのフィルターから構成されており、この実施の形態では、脱臭のためのフィルターと、揮発性有機化合物の吸着または分解のためのフィルターとから構成されている。
【００４６】
以上の構成において、この実施の形態に係るモノクロ複合機では、次のようにして、コストアップや騒音アップ、消費電力のアップ、もしくは装置の大型化等を招くことなく、装置の排出部近傍から排紙方向と直交する方向に放出される臭気や揮発性有機化合物等を、効果的に除去することが可能となっている。
【００４７】
すなわち、この実施の形態に係るモノクロ複合機では、図２に示すように、原稿４の画像がスキャナユニット３によって読み込まれ、画像処理部１２によって所定の画像処理が施された後、画像形成部の主要部を構成するプロセスカートリッジ１３によって、感光体ドラム１４上にトナー像が形成され、当該感光体ドラム１４上に形成されたトナー像は、転写ロール２５によって記録用紙２６上に転写される。
【００４８】
そして、上記記録用紙２６上に一括して転写されたトナー像は、定着装置３５によって熱及び圧力で転写された後、排紙ロール４１によって、用紙排出部４０からモノクロ複合機本体１の上部に設けられた排紙トレイ４２上に排出され、画像形成工程が終了する。
【００４９】
その際、上記定着装置３５によってトナー像を熱及び圧力で記録用紙２６上に定着する際に、トナー等から異臭や揮発性有機化合物（ＶＣＯ）が発生する。上記トナー等から発生した異臭や揮発性有機化合物（ＶＣＯ）は、図１に示すように、記録用紙２６が用紙排出部４０からモノクロ複合機本体１の上部に設けられた排紙トレイ４２上に排出される際に、記録用紙２６と共に、モノクロ複合機本体１の外部に排出される。
【００５０】
このとき、上記記録用紙２６は、図１に示すように、傾斜した状態の排紙トレイ４２の上方に配置された用紙排出部４０から、当該排紙トレイ４２上に排出され、この記録用紙２６は、自重で排紙トレイ４２上に落下して収容される。その際、上記用紙排出部４０から排紙トレイ４２上に排出された記録用紙２６と排紙トレイ４２との間には、空気の層が存在し、この排紙トレイ４２上に存在する空気は、記録用紙２６が自重で排紙トレイ４２上に落下するときに、図１に示すように、用紙の排出方向と直交する方向でかつ用紙表面に平行な方向に移動することになる。
【００５１】
ところで、この実施の形態では、図１に示すように、排紙トレイ４２の用紙排出方向と直交する方向でかつ用紙表面に平行な方向のリア（奥）側に、吸引口を備えた吸引排気手段６０が配設されており、この吸引排気手段６０内に設けられた排気ファン６５が駆動されるようになっている。
【００５２】
なお、この実施の形態では、図５に示すように、排気ファン６５が画像形成動作の開始と同期して、図示例では、定着装置のフューザーファンのハイ状態と同期して駆動され、画像形成動作が終了した後も一定時間（例えば、３０秒程度）だけ駆動するように構成されている。
【００５３】
そのため、上記定着装置４０によって未定着トナー像が記録用紙２６上に定着する際に発生した異臭や揮発性有機化合物は、記録用紙２６の移動に伴って、用紙排出部４０からモノクロ複合機本体１の外部に排出されるが、この用紙排出部４０や排紙トレイ４２からモノクロ複合機本体１の外部に排出された異臭や揮発性有機化合物は、図１及び図６に示すように、直ちに、排紙トレイ４２の用紙排出方向と直交する方向でかつ用紙表面に平行な方向のリア（奥）側に配設された吸引用ダクト６１の吸気口６２から吸引され、吸引用ダクト６１内に設けられたフィルター６７によって吸引除去された状態で、排気ファン６５によってモノクロ複合機本体１の外部（背面）に排出されるようになっている。
【００５４】
このように、上記実施の形態に係るモノクロ複合機では、排紙トレイ４２の用紙排出方向と直交する方向でかつ用紙表面に平行な方向のリア（奥）側に、吸引排気手段６０が配設されており、この吸引排気手段６０の吸引用ダクト６１内に設けられた排気ファン６５を駆動することによって、異臭や揮発性有機化合物は、吸引用ダクト６１の吸気口６２から効率良く吸引されて、フィルター６６によって除去された状態で、排気ファン６５によってモノクロ複合機本体１の外部に排出することができる。そのため、上記モノクロ複合機では、モノクロ複合機本体１の排紙トレイ４２の用紙排出方向と直交する方向でかつ用紙表面に平行な方向のリア（奥）側に、吸引排気手段６０を設けることによって、記録用紙２６等から排出される異臭や揮発性有機化合物を、効率良く吸引除去して、機外に排出することができる。
【００５５】
よって、モノクロ複合機本体１の排紙トレイ４２から離れた位置に配置された吸引排気手段６０によって、記録用紙２６等から排出される異臭や揮発性有機化合物を吸引する場合のように、排気ファン６５を大型化したり、回転速度をアップしたりする必要がなく、コストアップや騒音アップ、消費電力のアップ、もしくは装置の大型化等を招くことなく、装置の排出部近傍から排紙方向と直交する方向でかつ用紙表面に平行な方向に放出される臭気や揮発性有機化合物等を、効果的に除去することが可能となっている。
【００５６】
実施の形態２
図７はこの発明の実施の形態２を示すものであり、前記実施の形態１と同一の部分には同一の符号を付して説明すると、この実施の形態２は、前記記録媒体積載部は、画像形成装置の操作部側以外の面のうち、少なくとも一方の面を閉塞するカバー部材を設けるように構成されている。
【００５７】
すなわち、この実施の形態２に係るモノクロ複合機は、図７に示すように、排出トレイ４２の用紙排出方向の下流側の側面を閉塞するカバー部材８０を設けるように構成されており、当該排出トレイ４２の上方は、その背面側と、左右の側面が、保持部及び用紙排紙部と、カバー部材８０とによって覆われて筒形状に形成されている。その結果、上記排出トレイ４２は、モノクロ複合機の操作部側（フロント側）以外の面が覆われている。
【００５８】
なお、上記カバー部材８０は、透明なプラスチック板によって形成することで、外部から排出トレイ４２上に排出された記録用紙２６を目視することができるので望ましい。
【００５９】
このように、排出トレイ４２の用紙排出方向の下流側の側面を閉塞するカバー部材８０を設けることにより、臭気や揮発性有機化合物等が、排出トレイ４２の用紙排出方向の下流側から外部に排出されるのを、カバー部材８０によって防止することができ、当該臭気や揮発性有機化合物等は、排出トレイ４２上において、吸引排気手段６０によって吸引除去することができ、より一層好ましい。
【００６０】
その他の構成及び作用は、前記実施の形態と同様であるので、その説明を省略する。
【００６１】
実施の形態３
図８はこの発明の実施の形態３を示すものであり、前記実施の形態１と同一の部分には同一の符号を付して説明すると、この実施の形態４は、前記吸引排気手段が、前記記録媒体積載部の記録媒体排出方向と直交する方向でかつ記録媒体表面に平行な方向の一方に設けられ、前記吸引排気手段と反対側には、空気が排出されるのを遮蔽する遮蔽部材を設けるように構成されている。
【００６２】
すなわち、この実施の形態３に係るモノクロ複合機は、図８に示すように、吸引排気手段６０が排紙トレイ４２の用紙排出方向と直交する方向でかつ用紙表面に平行な方向の一方、つまりリア（奥）側にのみ設けられており、吸引排気手段６０と反対側（フロント側）には、空気が排出されるのを遮蔽する三角形状の板材からなる遮蔽部材８１が設けられている。
【００６３】
このように、上記吸引排気手段６０と反対側（フロント側）には、空気が排出されるのを遮蔽する三角形状の板材からなる遮蔽部材８１を設けることにより、用紙２６が排紙トレイ４２上に落下する際に、記録用紙２６から排出される異臭や揮発性有機化合物が、フロント側に漏れるのを遮蔽部材８１によって遮ることができ、この遮蔽部材８１によって遮られた異臭や揮発性有機化合物は、リア側に戻されて吸引排気手段６０によって吸引除去される。
【００６４】
その他の構成及び作用は、前記実施の形態と同様であるので、その説明を省略する。
【００６５】
実施の形態４
図９はこの発明の実施の形態４を示すものであり、前記実施の形態１と同一の部分には同一の符号を付して説明すると、この実施の形態４は、前記記録媒体積載部には、当該記録媒体積載部の上部に記録媒体を排出する追加用の積載部が追加可能となっており、前記吸引排気手段は、記録媒体積載部と、追加用積載部の双方から空気を吸引して排気するように構成されている。
【００６６】
すなわち、この実施の形態４に係るモノクロ複合機は、図９に示すように、記録媒体積載部としての排紙トレイ４２が、追加用の積載部としてのビントレイ８２を追加するとともに、用紙排出部４０の上部に更に、用紙を排出する第２の用紙排出部８３を追加することによって、プリントされた記録用紙２６を排紙トレイ４２上に排出し、コピーされた記録用紙２６をビントレイ８２上に排出したり、あるいは、コピーされた記録用紙２６を排紙トレイ４２とビントレイ８２とに仕分けして排出したり、更に、プリントやコピーされた記録用紙２６を排紙トレイ４２上に、ファクリミシの用紙をビントレイ８２上に排出したりすることが可能となっている。
【００６７】
そして、上記モノクロ複合機では、図９に示すように、吸引排気手段６０の吸気口６２が排紙トレイ４２とビントレイ８２の双方から空気を吸引して排気するように構成されている。
【００６８】
その他の構成及び作用は、前記実施の形態と同様であるので、その説明を省略する。
【００６９】
実施の形態５
図１０はこの発明の実施の形態５を示すものであり、前記実施の形態１と同一の部分には同一の符号を付して説明すると、この実施の形態５は、前記画像形成装置の上部に記録媒体積載部が設けられており、当該記録媒体積載部の少なくとも一方の面を閉塞するカバー部材を設けるように構成されている。
【００７０】
すなわち、この実施の形態５に係るモノクロ複合機は、図１０及び図１１に示すように、モノクロ複合機本体１の上部にスキャナユニット２が配設されておらず、モノクロ複合機（本体）の上部に記録媒体積載部としての排紙トレイ４２が設けられている。
【００７１】
また、この実施の形態５では、排紙トレイ４２の背面側と右側面と左側面の上部と上面をそれぞれ閉塞するカバー部材８４、８５、８６、８７が設けられており、上面のカバー部材８７は、開閉自在となっている。
【００７２】
この場合には、スキャナユニット２を備えないプリンタにおいても、排紙トレイ４２の周囲に、記録用紙２６から排出される異臭や揮発性有機化合物が、フロント側に漏れるのを遮蔽することができる。
【００７３】
その他の構成及び作用は、前記実施の形態と同様であるので、その説明を省略する。
【００７４】
実施の形態６
図１２はこの発明の実施の形態６を示すものであり、前記実施の形態１と同一の部分には同一の符号を付して説明すると、この実施の形態６は、前記画像形成装置の上部に記録媒体積載部が設けられている装置であって、前記吸引排気手段を前記記録媒体積載部の記録媒体排出方向と直交する方向でかつ記録媒体表面に平行な方向の両方から吸引するように設けられている。
【００７５】
また、この実施の形態６では、前記吸引排気手段は、前記記録媒体積載部の記録媒体排出部近傍を囲むように、当該記録媒体積載部のフロント側、リア側及び上部とにわたって設けられたダクト部材を備えている。
【００７６】
すなわち、この実施の形態６に係るモノクロ複合機は、図１２及び図１３に示すように、実施の形態５と同様に、モノクロ複合機本体１の上部にスキャナユニット２が配設されておらず、モノクロ複合機（本体）の上部に記録媒体積載部としての排紙トレイ４２が設けられている。
【００７７】
また、この実施の形態６では、吸引排気手段６０が排紙トレイ４２の用紙排出方向と直交する方向の両方から吸引するように設けられており、当該排紙トレイ４２の基端部には、用紙排出方向と直交する方向のフロント側及びリア側の両方、及び上方を囲むように、略門形状のダクト部材９０が配設されている。なお、上記ダクト部材９０は、モノクロ複合機本体１の内部と連通しておらず、吸気口９２のみから外部の空気を吸気して、ダクト部材９０の反対側に開口された排気口から排気するように構成されている。
【００７８】
このダクト部材９０には、図１４に示すように、排紙トレイ４２の用紙排出方向と直交する方向でかつ用紙表面に平行な方向のフロント側に、第１の用紙排出部４０の上方と、第２の用紙排出部８３の側方又は下方に対応した位置に、それぞれ吸気口９１、９２が開口されているとともに、排紙トレイ４２の用紙排出方向と直交する方向でかつ用紙表面に平行な方向のリア側には、第２の用紙排出部８３の側方又は下方に対応した位置に、吸気口９３が開口されている。
【００７９】
こうすることによって、排紙トレイ４２上の記録用紙２６から排出される異臭や揮発性有機化合物を、ダクト部材９０の吸気口９１、９２、９３から効果的に吸引することが可能となっている。
【００８０】
その他の構成及び作用は、前記実施の形態と同様であるので、その説明を省略する。
【００８１】
実施の形態７
図１５はこの発明の実施の形態７を示すものであり、前記実施の形態１と同一の部分には同一の符号を付して説明すると、この実施の形態７は、第２の用紙排出部の排紙ロールを逆転することによって、記録用紙の表裏を反転させて排出することが可能となっている。
【００８２】
すなわち、この実施の形態７に係るモノクロ複合機は、図１５及び図１６、図１７に示すように、用紙搬送経路３９が切り替えレバー９５によって、第１の用紙排出部４０側と、第２の用紙排出部８３側とに切り替え可能となっており、第２の用紙排出部８３側は、第２の用紙搬送経路９６を介して排紙ロール９７によって、第２の用紙排出部８３の排紙トレイ８２上に記録用紙２６を排出することが可能となっているとともに、排紙ロール９７によって記録用紙２６の後端を挟持している間に、当該排紙ロール９７を逆転させて記録用紙２６の後端を先頭にして、第２の用紙搬送経路９６に沿って搬送し、切り替えレバー９５の切り替えによって、この記録用紙２６の表裏を反転して排紙トレイ４２上に排出することが可能となっている。
【００８３】
その際、この実施の形態７では、図１５に示すように、記録用紙２６を反転させる際に、排紙トレイ８２上に記録用紙２６が一旦排出されるときに、当該記録用紙２６から排出される異臭や揮発性有機化合物を、吸引排気手段６０の吸気口６２から吸引除去するようになっている。
【００８４】
なお、上記吸引排気手段６０のフィルター６７1 、６７2 は、図１６に示すように、複数枚重ねて配置したり、特性の異なるフィルター６７1 、６７2 を複数枚配置するように構成しても良い。
【００８５】
その他の構成及び作用は、前記実施の形態と同様であるので、その説明を省略する。
【図面の簡単な説明】
【００８６】
【図１】図１はこの発明の実施の形態１に係る画像形成装置としてのモノクロ複合機の要部を示す概略構成図である。
【図２】図２はこの発明の実施の形態１に係る画像形成装置としてのモノクロ複合機を示す構成図である。
【図３】図３はこの発明の実施の形態１に係る画像形成装置としてのモノクロ複合機を示す外観斜視図である。
【図４】図４は吸引除去手段を示す斜視構成図である。
【図５】図５は排気ファンの駆動タイミングを示すタイミングチャートである。
【図６】図６はこの発明の実施の形態１に係る画像形成装置としてのモノクロ複合機の要部を示す概略平面構成図である。
【図７】図７はこの発明の実施の形態２に係る画像形成装置としてのモノクロ複合機を示す外観斜視図である。
【図８】図８はこの発明の実施の形態３に係る画像形成装置としてのモノクロ複合機を示す外観斜視図である。
【図９】図９はこの発明の実施の形態４に係る画像形成装置としてのモノクロ複合機を示す外観斜視図である。
【図１０】図１０はこの発明の実施の形態５に係る画像形成装置としてのモノクロ複合機を示す外観斜視図である。
【図１１】図１１は画像形成装置としてのモノクロ複合機の例を示す外観斜視図である。
【図１２】図１２はこの発明の実施の形態６に係る画像形成装置としてのモノクロ複合機を示す外観斜視図である。
【図１３】図１３はこの発明の実施の形態６に係る画像形成装置としてのモノクロ複合機を示す外観斜視図である。
【図１４】図１４はこの発明の実施の形態６に係る画像形成装置としてのモノクロ複合機の要部を示す概略断面図である。
【図１５】図１５はこの発明の実施の形態７に係る画像形成装置としてのモノクロ複合機を示す外観斜視図である。
【図１６】図１６はこの発明の実施の形態７に係る画像形成装置としてのモノクロ複合機の要部を示す概略構成図である。
【図１７】図１７はこの発明の実施の形態７に係る画像形成装置としてのモノクロ複合機の要部を示す概略構成図である。
【符号の説明】
【００８７】
１：モノクロ複合機本体、２６：記録用紙、３５：定着装置、４０：用紙排出部、４１：排紙ロール、４２１：排紙トレイ、６０：吸引排気手段、６５：排気ファン、６７：フィルター。
【図１】
0004760601.tif 000002
【図２】
0004760601.tif 000003
【図３】
0004760601.tif 000004
【図４】
0004760601.tif 000005
【図５】
0004760601.tif 000006
【図６】
0004760601.tif 000007
【図７】
0004760601.tif 000008
【図８】
0004760601.tif 000009
【図９】
0004760601.tif 000010
【図１０】
0004760601.tif 000011
【図１１】
0004760601.tif 000012
【図１２】
0004760601.tif 000013
【図１３】
0004760601.tif 000014
【図１４】
0004760601.tif 000015
【図１５】
0004760601.tif 000016
【図１６】
0004760601.tif 000017
【図１７】
0004760601.tif 000018